(57)【要約】【課題】ネットワークコミュニティにおいて、接触頻度の高いユーザ同士を優先的に接続させるネットワークコミュニティシステムを提供する。【解決手段】ネットワークに接続された複数の端末装置のユーザが、該ネットワークを介してメッセージを交換するコミュニティを構成するネットワークコミュニティシステムにおいて、各端末装置にてユーザ間のメッセージ交換回数を接触頻度として捉えることにより、論理的な接続路網を動的に制御し、接触頻度が高いユーザ同士を優先的に接続させる。【選択図】        図２
2004246812.tif 000002
【特許請求の範囲】
【請求項１】
ネットワークに接続された複数の端末装置のユーザが、該ネットワークを介して意見や情報を交換するコミュニティを構成し、該コミュニティ内で意見交換や情報交換に関するメッセージを送受信するためのメッセージ処理手段をそれぞれ有している前記複数の端末装置によって構成されるネットワークコミュニティシステムにおいて、前記端末装置が、
前記コミュニティ内でのメッセージ交換相手とのメッセージ交換回数に依存する接触頻度を判定する接触頻度判定手段と、
該接触頻度判定手段による接触頻度情報を参照し、メッセージ交換回数が多いメッセージ交換相手を接触頻度が高いユーザと認識し、該接触頻度が高いメッセージ交換相手を示す識別情報を抽出し、該識別情報のメッセージ交換相手が、当該端末装置の現接続先と異なるか否かを判定する接続先判定手段と、
該接続先判定手段の判定結果をもとに、前記現接続先が異なる場合に、当該端末装置の現接続を切断し、前記接触頻度が高いユーザを示す識別情報を設定した再接続要求信号を前記ネットワークに送信して、接触頻度の高いユーザ同士を交流させるべく接続路網を制御する接続処理手段と、
を備えていることを特徴とするネットワークコミュニティシステム。
【請求項２】
前記接触頻度判定手段が、前記メッセージ処理手段にて受信したメッセージから該メッセージの交換相手を示す識別情報を抽出して、メッセージ交換相手を判定するメッセージ交換相手判定部と、該メッセージ交換相手判定部から送信されたメッセージ交換相手を示す前記識別情報をキー情報としてメッセージ交換回数を算出するメッセージ交換回数算出部と、該メッセージ交換回数算出部から送信された前記メッセージ交換相手を示す識別情報及びメッセージ交換回数を含む接触頻度情報を格納する接触頻度情報記憶部とを備えていることを特徴とする請求項１に記載のネットワークコミュニティシステム。
【請求項３】
複数のユーザがネットワークを介して意見や情報を交換するネットワークコミュニティを構成するネットワークコミュニティシステムに用いる端末装置において、当該端末装置が、
前記コミュニティ内でのメッセージ交換相手とのメッセージ交換回数に依存する接触頻度を判定する接触頻度判定手段と、
該接触頻度判定手段による接触頻度情報を参照し、メッセージ交換回数が多いメッセージ交換相手を接触頻度が高いユーザと認識し、該接触頻度が高いメッセージ交換相手を示す識別情報を抽出し、該識別情報のメッセージ交換相手が、当該端末装置の現接続先と異なるか否かを判定する接続先判定手段と、
該接続先判定手段の判定結果をもとに、前記現接続先が異なる場合に、当該端末装置の現接続を切断し、前記接触頻度が高いユーザを示す識別情報を設定した再接続要求信号を前記ネットワークに送信して、接触頻度の高いユーザ同士を交流させるべく接続路網を制御する接続処理手段と、
を備えていることを特徴とする端末装置。
【請求項４】
前記接触頻度判定手段が、前記メッセージ処理手段にて受信したメッセージから該メッセージの交換相手を示す識別情報を抽出して、メッセージ交換相手を判定するメッセージ交換相手判定部と、該メッセージ交換相手判定部から送信されたメッセージ交換相手を示す前記識別情報をキー情報としてメッセージ交換回数を算出するメッセージ交換回数算出部と、該メッセージ交換回数算出部から送信された前記メッセージ交換相手を示す識別情報及びメッセージ交換回数を含む接触頻度情報を格納する接触頻度情報記憶部とを備えていることを特徴とする請求項３に記載の端末装置。
【請求項５】
ネットワークに接続された複数の端末装置のユーザが、意見交換や情報交換に関するメッセージを送受信してネットワークコミュニティを構成する方法であって、
前記コミュニティ内での各ユーザによるメッセージ交換相手とのメッセージ交換回数に依存する接触頻度を判定するステップと、
前記接触頻度による接触頻度情報を参照し、メッセージ交換回数が多いメッセージ交換相手を接触頻度が高いユーザと認識し、該メッセージ交換相手を示す識別情報を抽出し、該識別情報のメッセージ交換相手が、現接続先と異なるか否かを判定する接続先判定ステップと、
前記現接続先が異なる場合に、現接続相手との接続を切断して、前記接触頻度が高いユーザを示す識別情報を設定した再接続要求信号を前記ネットワークに送信して、接触頻度の高いユーザ同士を交流させるべく接続路網を優先接続する接続処理ステップと、
を含むことを特徴とするネットワークコミュニティの構成方法。
【請求項６】
ネットワークに接続された複数の端末装置のユーザが、意見交換や情報交換に関するメッセージを送受信するネットワークコミュニティにて、接触頻度の高いユーザ同士の論理的な接続をコンピュータに実行させるためのプログラムであって、前記コミュニティ内でのメッセージ交換相手とのメッセージ交換回数に依存する接触頻度を判定する処理と、該接触頻度による接触頻度情報を参照し、メッセージ交換回数が多いメッセージ交換相手を接触頻度が高いユーザと認識し、該メッセージ交換相手を示す識別情報を抽出し、該識別情報のメッセージ交換相手が、現接続先と異なるか否かを判定する処理と、現接続先と異なる場合に、現接続相手との接続を切断して、前記接触頻度が高いユーザを示す識別情報を設定した再接続要求を実行して、接触頻度の高いユーザ同士を論理的に優先接続する処理とをコンピュータに実行させるためのプログラム。
【請求項７】
ネットワークに接続された複数の端末装置のユーザが、意見交換や情報交換に関するメッセージを送受信するネットワークコミュニティにて、接触頻度の高いユーザ同士の論理的な接続をコンピュータに実行させるためのプログラムを記録した記録媒体であって、前記コミュニティ内でのメッセージ交換相手とのメッセージ交換回数に依存する接触頻度を判定する処理と、該接触頻度による接触頻度情報を参照し、メッセージ交換回数が多いメッセージ交換相手を接触頻度が高いユーザと認識し、該メッセージ交換相手を示す識別情報を抽出し、該識別情報のメッセージ交換相手が、現接続先と異なるか否かを判定する処理と、現接続先と異なる場合に、現接続相手との接続を切断して、前記接触頻度が高いユーザを示す識別情報を設定した再接続要求を実行して、接触頻度の高いユーザ同士を論理的に優先接続する処理とをコンピュータに実行させるためのプログラムを記録した記録媒体。
【発明の詳細な説明】
【０００１】
【発明の属する技術分野】
本発明は、ネットワークに接続された複数の端末装置のユーザが、該ネットワークを介して意見や情報を交換するコミュニティを構成するためのネットワークコミュニティシステム及びその構成方法並びに該システムに用いるユーザ端末装置に関するものである。
【０００２】
【従来の技術】
ネットワークコミュニティシステムの具体例としては、電子掲示板（電子会議）やチャット等のシステムが周知である。
【０００３】
いずれのコミュニティシステムにおいても、システムの管理者もしくは運営者は、参加者のコミュニティへの活発な参加を促すために、各種テーマの選定や意見を引き出すための誘導策等を講じている。一例としては、複数あるチャットルームをユーザが選択する際の指標として、現住所によるマッチングや地域によるカテゴリ設定等がある。これは、ネットワーク上に物理的距離間隔を導入するものであり、近接効果による積極的なネットワークコミュニティへの参加を期待するものである（例えば、非特許文献１参照）。
【０００４】
【非特許文献１】
ＵＲＬ：ｈｔｔｐ；／／ｗｗｗ．ｇｏｋｉｎｊｙｏ．ｎｅｔ／
タイトル：「ご近所さんを探せ」
管理者：株式会社シーマーク
検索日：平成１５年１月２０日
【０００５】
【発明が解決しようとする課題】
しかしながら、既存のネットワークコミュニティに関する利用動向調査では、既存のネットワークコミュニティへの参加率は４割程度であると云う結果が得られている。その不参加理由としては、「どんな人間が参加しているかわからないから」（３０％）、「内容に不適切なもの（誹謗・中傷）が含まれるから」（１０％）がある。なお、参加してはいるものの、情報発信をしないＲｅａｄ  Ｏｎｌｙ  Ｍｅｍｂｅｒ（ＲＯＭ）が約７割から８割いると推定されている。つまり、既存のネットワークコミュニティにおける現住所のマッチング等では、参加者のネットワークコミュニティへの寄与・動機付け（インセンティブ）が十分に働いていないと云う問題点がある。さらに、現住所等の個人情報を入力すると云う行為が、ネットワークコミュニティへの積極的な参加への心理的障壁になっている可能性もあると想定される。
【０００６】
そもそも、意見交換や情報交換などが可能なネットワークコミュニティの多くは、人との交流を目的としている。リアルな世界での人の交流を観察すると、例えば、同じバスに乗り合わせている人や、同じ職場の人達に出会う機会が多い程に人は引かれ合う傾向がある。これは、接触頻度と云われる概念であり、心理学的実験結果から、人は接触頻度が高いほど、相手に対して好感を持つ度合いも高くなる傾向があることがわかっている。特に、ネットワーク上では、参加状況が流動的であり、出入りの激しいチャット等で以前にあった人と再び出会っただけでも、接触頻度が高いと感じ、近接効果が得られたと考えられる。
【０００７】
本発明は上述したような問題点に鑑み、ネットワークコミュニティにおいて、エンドユーザ間のメッセージ交換回数を接触頻度として捉えることにより、論理的な接続路網を動的に構築し、接触頻度の高いユーザ同士を優先的に接続させることで、近接効果の高いコミュニティを構成するためのネットワークコミュニティシステム及びネットワークコミュニティの構成方法を提供することを目的とする。
【０００８】
本発明の他の目的は、ネットワークコミュニティシステムに適用して、近接効果の高いコミュニティを構成し得る端末装置及びネットワークコミュニティにて接触頻度の高いユーザ同士の論理的な接続をコンピュータに実行させるためのプログラム並びにこのようなプログラムを記録した媒体を提供することにある。
【０００９】
【課題を解決するための手段】
上記目的達成のために、請求項１の発明は、ネットワークに接続された複数の端末装置のユーザが、該ネットワークを介して意見や情報を交換するコミュニティを構成し、該コミュニティ内で意見交換や情報交換に関するメッセージを送受信するためのメッセージ処理手段をそれぞれ有している前記複数の端末装置によって構成されるネットワークコミュニティシステムにおいて、前記端末装置が、前記コミュニティ内でのメッセージ交換相手とのメッセージ交換回数に依存する接触頻度を判定する接触頻度判定手段と、
該接触頻度判定手段による接触頻度情報を参照し、メッセージ交換回数が多いメッセージ交換相手を接触頻度が高いユーザと認識し、該接触頻度が高いメッセージ交換相手を示す識別情報を抽出し、該識別情報のメッセージ交換相手が、当該端末装置の現接続先と異なるか否かを判定する接続先判定手段と、
該接続先判定手段の判定結果をもとに、前記現接続先が異なる場合に、当該端末装置の現接続を切断し、前記接触頻度が高いユーザを示す識別情報を設定した再接続要求信号を前記ネットワークに送信して、接触頻度の高いユーザ同士を交流させるべく接続路網を制御する接続処理手段と、
を備えていることを特徴とするネットワークコミュニティシステムにある。
【００１０】
請求項２の発明は、請求項１において、前記接触頻度判定手段が、前記メッセージ処理手段にて受信したメッセージから該メッセージの交換相手を示す識別情報を抽出して、メッセージ交換相手を判定するメッセージ交換相手判定部と、該メッセージ交換相手判定部から送信されたメッセージ交換相手を示す前記識別情報をキー情報としてメッセージ交換回数を算出するメッセージ交換回数算出部と、該メッセージ交換回数算出部から送信された前記メッセージ交換相手を示す識別情報及びメッセージ交換回数を含む接触頻度情報を格納する接触頻度情報記憶部とを備えていることを特徴とする。
【００１１】
請求項３の発明は、複数のユーザがネットワークを介して意見や情報を交換するネットワークコミュニティを構成するネットワークコミュニティシステムに用いる端末装置において、当該端末装置が、
前記コミュニティ内でのメッセージ交換相手とのメッセージ交換回数に依存する接触頻度を判定する接触頻度判定手段と、
該接触頻度判定手段による接触頻度情報を参照し、メッセージ交換回数が多いメッセージ交換相手を接触頻度が高いユーザと認識し、該接触頻度が高いメッセージ交換相手を示す識別情報を抽出し、該識別情報のメッセージ交換相手が、当該端末装置の現接続先と異なるか否かを判定する接続先判定手段と、
該接続先判定手段の判定結果をもとに、前記現接続先が異なる場合に、当該端末装置の現接続を切断し、前記接触頻度が高いユーザを示す識別情報を設定した再接続要求信号を前記ネットワークに送信して、接触頻度の高いユーザ同士を交流させるべく接続路網を制御する接続処理手段と、
を備えていることを特徴とする端末装置にある。
【００１２】
請求項４の発明は、請求項３において、前記接触頻度判定手段が、前記メッセージ処理手段にて受信したメッセージから該メッセージの交換相手を示す識別情報を抽出して、メッセージ交換相手を判定するメッセージ交換相手判定部と、該メッセージ交換相手判定部から送信されたメッセージ交換相手を示す前記識別情報をキー情報としてメッセージ交換回数を算出するメッセージ交換回数算出部と、該メッセージ交換回数算出部から送信された前記メッセージ交換相手を示す識別情報及びメッセージ交換回数を含む接触頻度情報を格納する接触頻度情報記憶部とを備えていることを特徴とする。
【００１３】
請求項５の発明は、ネットワークに接続された複数の端末装置のユーザが、意見交換や情報交換に関するメッセージを送受信してネットワークコミュニティを構成する方法であって、
前記コミュニティ内での各ユーザによるメッセージ交換相手とのメッセージ交換回数に依存する接触頻度を判定するステップと、
前記接触頻度による接触頻度情報を参照し、メッセージ交換回数が多いメッセージ交換相手を接触頻度が高いユーザと認識し、該メッセージ交換相手を示す識別情報を抽出し、該識別情報のメッセージ交換相手が、現接続先と異なるか否かを判定する接続先判定ステップと、
前記現接続先が異なる場合に、現接続相手との接続を切断して、前記接触頻度が高いユーザを示す識別情報を設定した再接続要求信号を前記ネットワークに送信して、接触頻度の高いユーザ同士を交流させるべく接続路網を優先接続する接続処理ステップと、
を含むことを特徴とするネットワークコミュニティの構成方法にある。
【００１４】
請求項６の発明は、ネットワークに接続された複数の端末装置のユーザが、意見交換や情報交換に関するメッセージを送受信するネットワークコミュニティにて、接触頻度の高いユーザ同士の論理的な接続をコンピュータに実行させるためのプログラムであって、前記コミュニティ内でのメッセージ交換相手とのメッセージ交換回数に依存する接触頻度を判定する処理と、該接触頻度による接触頻度情報を参照し、メッセージ交換回数が多いメッセージ交換相手を接触頻度が高いユーザと認識し、該メッセージ交換相手を示す識別情報を抽出し、該識別情報のメッセージ交換相手が、現接続先と異なるか否かを判定する処理と、現接続先と異なる場合に、現接続相手との接続を切断して、前記接触頻度が高いユーザを示す識別情報を設定した再接続要求を実行して、接触頻度の高いユーザ同士を論理的に優先接続する処理とをコンピュータに実行させるためのプログラムにある。
【００１５】
請求項７の発明は、ネットワークに接続された複数の端末装置のユーザが、意見交換や情報交換に関するメッセージを送受信するネットワークコミュニティにて、接触頻度の高いユーザ同士の論理的な接続をコンピュータに実行させるためのプログラムを記録した記録媒体であって、前記コミュニティ内でのメッセージ交換相手とのメッセージ交換回数に依存する接触頻度を判定する処理と、該接触頻度による接触頻度情報を参照し、メッセージ交換回数が多いメッセージ交換相手を接触頻度が高いユーザと認識し、該メッセージ交換相手を示す識別情報を抽出し、該識別情報のメッセージ交換相手が、現接続先と異なるか否かを判定する処理と、現接続先と異なる場合に、現接続相手との接続を切断して、前記接触頻度が高いユーザを示す識別情報を設定した再接続要求を実行して、接触頻度の高いユーザ同士を論理的に優先接続する処理とをコンピュータに実行させるためのプログラムを記録した記録媒体にある。
【００１６】
【発明の実施の形態】
本発明の実施例を説明する前に、実施例の前提となるピア・ツー・ピア（Ｐ２Ｐ）ネットワークの概要について説明する。
【００１７】
図１は、ネットワークに接続された複数の端末装置の各エンドユーザ（ピア）が、該ネットワークを介してメッセージを交換するネットワークコミュニティシステムを構成するＰ２Ｐネットワークのモデルを示す概略図である。図中、１０はＰ２Ｐの論理ネットワーク、１１は接続元のピア（Ｐｅｅｒ）、１２，１３，１４は接続元のピア１１から接続された接続先のピア、１５はＴＴＬ（Ｔｉｍｅ  Ｔｏ  Ｌｉｖｅ）によるメッセージ到達範囲、１６は論理サブネットワーク、１７，１８は、Ｐ２Ｐの論理ネットワーク１０上に存在するも、ピア１１とは非接続であり、かつＴＴＬによるメッセージ到達範囲１５外に位置して、ピア１１とはメッセージの送受信できない状態にあるピアである。
【００１８】
一般的なＰ２Ｐネットワークへの参加方法として、例えばピア１１はＰ２Ｐの論理ネットワーク１０上に存在する他のピアを検索して、複数のピア１２，１３，１４に接続する。これにより、ピア１１は論理ネットワーク１０に参加することになる。さらに詳細に説明すると、ピア間で送受信されるメッセージパケットのヘッダには、メッセージ転送回数の最大値を与えるＴＴＬフィールドがあり、接続元のピア１１は、接続先のピア１４を中心としたＴＴＬによるメッセージ到達範囲１５内のピアから構成される論理サブネットワーク１６に参加する。
【００１９】
しかし、論理ネットワーク１０上にあるピア１７及び１８はピア１１とは接続されておらず、しかもＴＴＬによるメッセージ到達範囲１５の外に位置しているため、ピア１１はピア１７及び１８とは送受信ができず、従ってピア同士が交流できる範囲は論理ネットワーク全体ではなく、その一部にすぎない。言い換えれば、以前にピア１１がネットワーク上で出会った（接触した）ことのあるエンドユーザ、例えばピア１７が、同時にピア１１と同じネットワークコミュニティに参加しても、ピア１１がピア１７と必ず交流できると云う訳ではない。
【００２０】
そこで本発明は、以前にネットワーク上で交流したことがある接触頻度の高いエンドユーザ同士を優先的に接続させることで、近接効果の高いネットワークコミュニティを構成することにあり、以下この本発明の実施形態について説明する。
【００２１】
〔実施例１〕
図２は、ネットワーク２０に接続された複数の端末装置のエンドユーザ２１，２２，２３，２４が、ネットワーク２０を介してメッセージを交換するコミュニティを構成する、本発明によるネットワークコミュニティシステムの構成例を示す。
【００２２】
エンドユーザ２１の端末装置２１Ａは、メッセージ処理手段２１０と、接触頻度判定手段２１１と、接続先判定手段２１２と、接続処理手段２１３とを備えている。
【００２３】
メッセージ処理手段２１０は、エンドユーザ２１からのメッセージ送信または他のエンドユーザ２２，２３，２４からのメッセージ受信に関する通常の処理を実行する。
【００２４】
接触頻度判定手段２１１は、他のエンドユーザから送信されてメッセージ処理手段２１０にて受信したメッセージから、このメッセージの送信元のエンドユーザを示す識別情報を抽出して、エンドユーザ２１のメッセージ交換相手を判定するメッセージ交換相手判定部２１４と、このメッセージ交換相手判定部２１４にて抽出したメッセージ交換相手を示す識別情報をキー情報として、当該メッセージ交換相手とのメッセージ交換回数を算出するメッセージ交換回数算出部２１５と、このメッセージ交換回数算出部２１５からの前記メッセージ交換相手を示す識別情報及びメッセージ交換回数を含む接触頻度情報２１６を格納する接触頻度情報記憶部２１７とを有している。
【００２５】
接続先判定手段２１２は、前記接触頻度判定手段２１１における接触頻度情報記憶部２１７に格納されている接触頻度情報２１６を参照して、当該エンドユーザ２１にとってメッセージ交換回数が多いメッセージ交換相手を接触頻度が高いユーザと認識し、この接触頻度が高い当該メッセージ交換相手を示す識別情報を抽出し、この識別情報を、先にメッセージ交換相手判定部２１４にて抽出した当面のメッセージ交換相手を示す識別情報と比較することにより、当該エンドユーザ２１の現在の接続先が接触頻度の高いメッセージ交換相手と同一であるかどうかを判定する。
【００２６】
接続処理手段２１３は、接続先判定手段２１２の判定結果を元に、現在接続中のメッセージ交換相手が接触頻度の高くない相手である場合に、その相手に対して接続解除要求を送信して、その相手から接続解除ＯＫ信号を受信した際に、エンドユーザ２１の再接続先である接触頻度の高いエンドユーザに対して再接続要求信号を送信し、この再接続先のエンドユーザから再接続ＯＫ信号を受信することにより、接触頻度の高いエンドユーザとの論理的な接続網を優先的に構築する接続路網の動的接続処理を行う。
【００２７】
図３は、エンドユーザ２１，２２，２３，２４間におけるメッセージの送受信イメージを示した図である。
【００２８】
図４は、図３が示すメッセージの送受信状態にて、エンドユーザ２１の接触頻度判定手段２１１における接触頻度情報記憶部２１７に格納されるエンドユーザ２１の接触頻度情報３１の構成例である。この接触頻度情報３１には、各エンドユーザ２２，２３，２４の識別情報３２，３３，３４と各々のメッセージ交換回数が対応付けられて格納される。
【００２９】
図５は、図３のメッセージの送受信状態にて接触頻度情報記憶部２１７に格納される図４に示したエンドユーザ２１の接触頻度情報３１に対応する接続先判定手段２１２の処理フローの例である。接続先判定手段２１２は、先ず接触頻度判定手段２１１における接触頻度情報記憶部２１７に対してメッセージ交換回数の多いメッセージ交換相手を問い合せ（ステップＳ５１）、その応答として、メッセージ交換相手２２との交換回数がこの場合には２回で、他のエンドユーザとのメッセージ交換回数よりも多いから、このメッセージ交換相手２２の識別情報３２を受信し（ステップＳ５２）、この識別情報３２がエンドユーザ２１の現接続先のエンドユーザの識別情報と異なるか否かを判定し（ステップＳ５３）、異なる場合に、エンドユーザ２２の識別情報３２をキー情報として接続処理手段２１３に再接続依頼（ステップＳ５４）を実施する。
【００３０】
図６は、接触頻度の高いエンドユーザと優先的に論理的な接続路網を構築するための接続処理に関するシーケンス例である。接続先判定手段２１２より再接続依頼を受けた接続処理手段２１３は、エンドユーザ２１の現接続先のエンドユーザ２４に対して接続解除要求信号６１を送信し、接続解除ＯＫ信号６２を受信する。接続処理手段２１３はさらに、エンドユーザ２１の再接続先のエンドユーザ２２に対して、そのエンドユーザの識別情報情報３２を設定して再接続要求信号６３を送信し、エンドユーザ２２から再接続ＯＫ信号６４を受信することにより、接触頻度の高いユーザとの論理的接続構成をとることができる。
【００３１】
なお、上記実施例ではＰ２Ｐのネットワークモデルを前提としたが、本発明はＣ／Ｓネットワークモデルでも適用可能であり、特に実現手段としてＰ２Ｐに限定されるものではない。
【００３２】
また、本発明による接続頻度に基づく論理的な接続路網の優先的な構築手法は、コンピュータに実行させることのできるプログラムとして、磁気ディスク、光ディスク、半導体メモリなどの記録媒体に格納して頒布することもできる。
【００３３】
以上の結果から明らかなように、従来の技術では、以前にネットワーク上で出会った（接触した）ことのあるエンドユーザとネットワークコミュニティにて必ず交流できるという訳ではないという問題点があったが、本発明によれば、接触頻度を元に接続相手を優先的に選択でき、近接性の高い論理的接続構成をとるネットワークコミュニティが構成できるため、必然的に出会う機会が増加して、ＲＯＭに対する情報発信への誘導効果や誹謗・中傷への不安解消効果が大いに期待できる。即ち、ネットワークコミュニティへのエンドユーザの寄与・動機付け（インセンティブ）を高めることが可能となる。
【００３４】
【発明の効果】
以上説明したように本発明によれば接触頻度の高いエンドユーザと優先的に論理的接続構成をとるネットワークコミュニティが構成できるため、メッセージ交換を期待するエンドユーザと必然的に出会う機会が増加する。これは、接触頻度が高くなると相手に好感をもち、人は暖かな交流を育むという心理的傾向をネットワーク上に展開したのであり、近接効果が期待できる。具体的には、ＲＯＭに対する情報発信への誘導効果や誹謗・中傷への不安解消効果が期待でき、エンドユーザのネットワークコミュニティへの発言や参加意欲等が活性化される。
【００３５】
特に、近年Ｐ２Ｐという技術の発展により、サーバや管理者を必要とせず、自発的かつ自律的なネットワークコミュニティが形成されつつあり、ますますネットワークコミュニティへのエンドユーザの寄与・動機付け（インセンティブ）を高めることが重要になってきており、本発明はこのようなインセンティブのひとつとして非常に有効である。
【図面の簡単な説明】
【図１】本発明の実施例の前提となるＰ２Ｐネットワークモデルを示す図である。
【図２】本発明によるネットワークコミュニティシステムの概要図である。
【図３】エンドユーザ間におけるメッセージの送受信イメージを示した図である。
【図４】図３が示すメッセージの送受信状態にて、接触頻度情報記憶部２１７に格納されるエンドユーザの接触頻度情報の構成例を示した図である。
【図５】接続先判定手段の処理フロー例である。
【図６】接続処理に関するシーケンス例である。
【符号の説明】
２０  ネットワーク
２１〜２４  エンドユーザ
２１Ａ  エンドユーザ２１の端末装置
２１０  メッセージ処理手段
２１１  接触頻度処理手段
２１２  接続先判定手段
２１３  接続処理手段
２１４  メッセージ交換相手判定部
２１５  メッセージ交換回数算出部
２１６  接触頻度情報
２１７  接触頻度情報記憶部
【図１】
2004246812.tif 000003
【図２】
2004246812.tif 000004
【図３】
2004246812.tif 000005
【図４】
2004246812.tif 000006
【図５】
2004246812.tif 000007
【図６】
2004246812.tif 000008